(57)【要約】【課題】難聴者並びに健聴者に対しても不足の無い性能を有するより高性能、且つ、高品質な湾曲振動板スピーカシステムを提供する。【解決手段】本発明に係るスピーカ１０は、一面が開放された中空構造をした筐体５内に、少なくとも二つのスピーカユニットを収容してなる。第一のスピーカユニット１は、一端側から対向する他端側へ向かって湾曲する曲面部を有する湾曲振動板１１と、入力された電気信号に応じて湾曲振動板を振動させドライバユニット１２を備える。また、第一のスピーカユニットの湾曲振動板は、筐体の一面を被覆するように凸面側が外方を向いて配され、一端側の端面部がドライバユニットに当接して固定されると共に、他端側が筐体に接続され、かつ、開口部１１１を有する。第二のスピーカユニット２は、第一のスピーカユニットの湾曲振動板が有する開口部を介して放音可能となるように、湾曲振動板の凹面側に配されている。【選択図】図１
2020014069.tif 000002
【特許請求の範囲】
【請求項１】
一面が開放された中空構造である筐体と、当該筐体内に収容される複数のスピーカユニットと、から構成され、
第一のスピーカユニットは、
一端側から対向する他端側へ向かって湾曲する曲面部を有する振動板と、
入力された電気信号に応じて前記振動板を振動させるドライバユニットと、
を少なくとも備え、
前記振動板は、前記筐体の開放された一面を被覆するように凸面側が外方を向いて配され、一端側の端面部が前記ドライバユニットに当接して固定されると共に、他端側が前記筐体に接続され、かつ、凸面側と凹面側とを貫通する開口部を有し、
前記ドライバユニットは、前記筐体に固定して取り付けられ、
第二のスピーカユニットは、
前記第一のスピーカユニットの振動板が有する前記開口部を介して放音可能となるように、前記振動板の凹面側で前記筐体に固定され、前記筐体に取り付けられている、
ことを特徴とするスピーカ。
【請求項２】
平板状をした振動板と、入力された電気信号に応じて前記振動板を振動させるドライバユニットと、前記振動板と前記ドライバユニットとを収容する中空構造の筐体と、を少なくとも備え、
前記筐体は、一面に開口部を有し、
前記ドライバユニットは、前記振動板の面方向と同じ方向に駆動するように前記振動板の一端側の端面部と当接し、かつ、前記筐体に固定して取り付けられ、
前記振動板は、前記ドライバユニットが取り付けられた一端側から対向する他端側へ向かうにしたがって湾曲する曲面部を形成し、前記筐体の開口部を被覆するように配されているスピーカにおいて、
前記振動板と前記ドライバユニットとから構成される第一のドライバユニットと共に、前記筐体内に収容される第二のドライバユニットをさらに備え、
前記第一のドライバユニットは、凸面側が外方を向いて配された前記振動板において、凸面側と凹面側とを貫通する開口部を有し、
前記第二のドライバユニットは、前記第一のスピーカユニットの振動板が有する前記開口部を介して放音可能となるように前記振動板の凹面側に配され、前記筐体に固定して取り付けられている、
ことを特徴とするスピーカ。
【請求項３】
前記第一のスピーカユニットにおける振動板の凹面側と、前記第二のスピーカユニットにおける放音側の外周部とが構成する隙間に、閉塞部材が配されていることを特徴とする請求項１又は２に記載のスピーカ。
【請求項４】
前記閉塞部材は、前記第一のスピーカユニットの振動板が有する前記開口部を突き抜ける状態で配されていることを特徴とする請求項３に記載のスピーカ。
【請求項５】
前記第一のスピーカユニットの振動板は、湾曲方向に沿う両側縁部が、前記筐体に支持されていることを特徴とする請求項１乃至４の何れか１項に記載のスピーカ。
【請求項６】
第三のスピーカユニットをさらに備え、
前記筐体の開放された一面を除く他の一面を介して放音可能となるように、当該筐体に固定して取り付けられていることを特徴とする請求項１乃至７の何れか１項に記載のスピーカ。
【発明の詳細な説明】
【技術分野】
【０００１】
本発明は、湾曲振動板を用いたスピーカに係り、詳しくは、難聴者が補聴器をつけることなく健聴者と共に聞き取ることができ、かつ、再生周波数帯域が拡大した、より高性能な複合型の湾曲振動板スピーカシステムに関する。
【背景技術】
【０００２】
近年、加齢が原因とする老人性難聴や、外耳や中耳、内耳、蝸牛神経等に障害を有する器質性難聴、ストレスを要因とした機能性難聴、といった聴覚障害者が増えてきており、国内の難聴者の数は２，０００万人ともいわれている。難聴の場合、音が聞こえなくなるだけでなく、聞こえた音であっても鮮明に聞き分けることが難しくなる。そのため、会話の内容がよくわかっていないのに返事をしてしまって相手に誤解を与えたり、途中で何度も聞き返すことで会話が弾まなくなってしまったりすることがある。
【０００３】
また、難聴が原因でスムーズなコミュニケーションができなくなり、知らず知らずのうちに話をするのが億劫になって人と会う機会が減ったり、外出しないで家に引きこもりがちになったりという現象が起き、社会からの孤立・疎外という問題が起きるおそれがあると言われている。
【０００４】
このような難聴の不便さを軽減する手段として、一般的に補聴器の使用がある。また、テレビを視聴する場合には、テレビのイヤホンジャックに接続して音声をＦＭ電波で飛ばし、これを手持ちのＦＭラジオで受信してテレビの音声を取得するＦＭトランスミッタがある。
【０００５】
ところが補聴器は、「わずらわしい」「装着が恥ずかしい」といった理由であまり好んで使われておらず、仕方なく使っている場合が多い。また、補聴器には雑音も拾ってしまうものも少なくなく、却ってストレスが大きいものとなってしまう場合がある。
一方、ＦＭトランスミッタを用いる場合、ＦＭトランスミッタを準備し、テレビを視聴するたびにＦＭトランスミッタを設置しなければならないといった煩わしさがある。また、ＦＭトランスミッタをイヤホンジャックに接続することで音声の出力先が切り替り、難聴者と健聴者とが共に不自由なくテレビを視聴することができないという問題がある。
【０００６】
そこで、全てではないが難聴者が聞き取ることができる音声を発生するスピーカとして、中空構造の筐体と、筐体に収容したドライブユニットと、筐体の表面に配された湾曲振動板とを具備し、ドライブユニットの振動を湾曲振動板の端縁（面）部へ伝えて放音するようにしたスピーカが出願人によって提案されている（たとえば、特許文献１，２を参照）。
【０００７】
このような湾曲振動板を用いたスピーカ（以下、単に「湾曲振動板スピーカ」という。）は、難聴者が補聴器をつけることなく聞き取ることができると共に、健聴者も違和感なく聞き取ることができるものである。
しかも、特許文献１，２に記載された発明に係る湾曲振動板スピーカは、その後の実証実験において、近くは勿論のこと、遠くでも明瞭に聞き取れることが確認できている。すなわち、音量を上げ過ぎたときのような音割れがなく、かつ、近くでもうるさ過ぎることなく聞き取ることがきるものとなっている。
【０００８】
この湾曲振動板スピーカは、基本的性能が実用に耐え得るレベルにあり、製造可能なレベルであることが確認されているが、再生周波数帯域の拡大、とりわけ４００〜５００Ｈｚ以下の低音帯域（以下、「低域」という。）において再生性能が向上した音質改善が求められている。
【０００９】
ここで、湾曲振動板スピーカは、一般的に湾曲振動板をムービングコイル、いわゆるボイスコイルにて駆動し、発音せしめる手法である。この手法に於いて低域側の再生能力を増すには、能力に見合ったボイスコイル振幅（移動）量を増し、それに見合った振動板、及び構造、並びにパワーアップが必要である。
【００１０】
しかしながら、低域側の再生能力を増すために強引にボイスコイルの振幅量を増すと、湾曲振動板自体が異常音を発する。そのため、従来型スピーカと同等の低域再生を行うには、湾曲振動板の長さをより長くする等、面積を拡大しなければならず、その寸法は実用的な寸法とは言えないものとなる。
【００１１】
そこで、低域側の再生能力を増すために、コーン状振動板を備えるダイナミック型スピーカユニットを、湾曲振動板スピーカユニットが装着された筐体にさらに装着し、両方のスピーカユニットを駆動してそれぞれ放音することが考えられる。これにより、低域側が出にくいという湾曲振動板の音質がコーン状振動板による放音によって補正され、湾曲振動板とコーン状振動板を用いた複合型のフルレンジスピーカとすることができる。
【００１２】
ところが、このような複合型のスピーカシステムでは、スピーカユニットを装着する筐体は共有することができるものの、再生周波数帯域に応じた二つのスピーカユニット（湾曲振動板スピーカユニットとダイナミック型スピーカユニット）を効率良く小さな設置面積で取り付けようとすると、互いの放音方向が異なるものとなり、何れかのスピーカユニットにおいて十分な音圧感が得られないものとなってしまう。
【００１３】
また、二つのスピーカから放音された好ましい音圧感を確保するため、湾曲振動板とコーン状振動板の放音方向が同じとなるように、筐体に対してそれぞれのスピーカユニットを装着しようとすると、より大きな設置面積を必要とし、筐体が巨大化したものとなってしまう。
【先行技術文献】
【特許文献】
【００１４】
【特許文献１】特許第５６６８２３３号公報
【特許文献２】特開２０１６−１４００６０号公報
【発明の概要】
【発明が解決しようとする課題】
【００１５】
本発明は、上記事情に鑑みて成されたものであり、湾曲振動板を用いた複合型のスピーカシステムにおいて、再生周波数帯域の拡大により音質が改善されると共に、筐体が巨大化することなく、好ましい音圧感が確保されたスピーカを提供するものである。
【課題を解決するための手段】
【００１６】
本発明に係るスピーカは、一面が開放された中空構造である筐体と、当該筐体内に収容される複数のスピーカユニットと、から構成され、第一のスピーカユニットは、一端側から対向する他端側へ向かって湾曲する曲面部を有する振動板と、入力された電気信号に応じて前記振動板を振動させるドライバユニットと、を少なくとも備え、前記振動板は、前記筐体の開放された一面を被覆するように凸面側が外方を向いて配され、一端側の端面部が前記ドライバユニットに当接して固定されると共に、他端側が前記筐体に接続され、かつ、凸面側と凹面側とを貫通する開口部を有し、前記ドライバユニットは、前記筐体に固定して取り付けられ、第二のスピーカユニットは、前記第一のスピーカユニットの振動板が有する前記開口部を介して放音可能となるように、前記振動板の凹面側で前記筐体に固定され、前記筐体に取り付けられていることを基本的な特徴とする。
【００１７】
また、本発明に係るスピーカは、平板状をした振動板と、入力された電気信号に応じて前記振動板を振動させるドライバユニットと、前記振動板と前記ドライバユニットとを収容する中空構造の筐体と、を少なくとも備え、前記筐体は、一面に開口部を有し、前記ドライバユニットは、前記振動板の面方向と同じ方向に駆動するように前記振動板の一端側の端面部と当接し、かつ、前記筐体に固定して取り付けられ、前記振動板は、前記ドライバユニットが取り付けられた一端側から対向する他端側へ向かうにしたがって湾曲する曲面部を形成し、前記筐体の開口部を被覆するように配されているスピーカにおいて、前記振動板と前記ドライバユニットとから構成される第一のドライバユニットと共に、前記筐体内に収容される第二のドライバユニットをさらに備え、前記第一のドライバユニットは、凸面側が外方を向いて配された前記振動板において、凸面側と凹面側とを貫通する開口部を有し、前記第二のドライバユニットは、前記第一のスピーカユニットの振動板が有する前記開口部を介して放音可能となるように前記振動板の凹面側に配され、前記筐体に固定して取り付けられていることを基本的な特徴とするものと言い換えることができる。
【００１８】
上記スピーカにおいて、第一のスピーカユニットの振動板は、筐体の開放された一面の少なくとも一部を被覆するように配されていれば良く、全面的に被覆するように配されたものであっても良い。
また、上記スピーカにおいて、第二のスピーカユニットは、第一のスピーカユニットの振動板とは隙間を有して配されたものとなっている。すなわち、それぞれのスピーカユニットにおける互いの振動板の振動を妨げることの無いよう配されている。
【００１９】
また、上記スピーカにおいて、第二のスピーカユニットは、第一のスピーカユニットと異なる周波数帯域を再生するものであれば良く、たとえば、低域側の再生能力を増すことを意図する場合は、全帯域用のフルレンジとして用いられるコーン状振動板を備えるスピーカユニットとしたり、もしくは低域用のウーハとして用いられるドーム状振動板を備えるスピーカユニットとしたりすることができる。また、平面状振動板を備えるスピーカユニットや、圧電素子を用いた振動板を備えるスピーカユニットとしても良い。
【００２０】
すなわち、第一のスピーカユニットに用いる振動板の材料や形状、大きさ、及びドライバユニットの出力等によって、第一のスピーカユニットの湾曲振動板における再生周波数帯域は変化するものとなる。ゆえに、従来技術（段落［０００８］）において述べたように、とりわけ４００〜５００Ｈｚ以下の低域において再生性能が向上した音質改善が求められる場合、湾曲振動板を備える第一のスピーカユニットと共に、低域側の再生能力を増すことができる第二のスピーカユニットを併設することが望ましい。
【００２１】
また、上記スピーカにおいて、第一のスピーカユニットにおける振動板の凹面側と、第二のスピーカユニットにおける放音側の外周部とが構成する隙間に、閉塞部材が配されているものとすると望ましい。
この閉塞部材は、第一のスピーカユニットの振動板の凹面側における開口部周縁部に貼着するものとしても良いし、第一のスピーカユニットの振動板が有する開口部を突き抜ける状態で配されたものとしても良い。
【００２２】
また、上記スピーカにおいて、第一のスピーカユニットの振動板は、湾曲方向に沿う両側縁部が筐体に支持されているものとすると望ましい。詳しくは、たとえば、筐体の側面部にガイド部を設け、このガイド部に支持されたものとすることができる。ガイド部は、筐体の側面部を凸状に形成したものでも良いし、筐体の側面部を凹状に形成したものでも良い。
このように振動板の両側縁部が筐体に支持されることで、振動板が外力等の影響を受けることなく、振動板を配することが容易にできるものとなる。
【００２３】
さらに、本発明に係るスピーカは、第三のスピーカユニットをさらに備え、筐体の開放された一面を除く他の一面を介して放音可能となるように、当該筐体に固定して第三のスピーカユニットが取り付けられたものとしても良い。
【発明の効果】
【００２４】
本発明のスピーカは、湾曲振動板を備えた第一のスピーカユニットと、第一のスピーカユニットと異なる周波数帯域を再生する第二のスピーカユニットとを筐体内に収容するものとなっている。ゆえに、第一のスピーカユニットの及ばない再生帯域を、第二のスピーカユニットによって補うものとすることで、より広帯域の音の再生が可能となり、難聴者に極めて有効な音と、健聴者向けの音とが混在し、難聴者並びに健聴者が共に聞き取ることのできるより高性能、且つ、高品質なスピーカシステムとすることができる。
【００２５】
しかも、第一のスピーカユニットにおける湾曲振動板に開口部を設け、この開口部を介して放音可能となるように、当該湾曲振動板の凹面側に第二のスピーカユニットを配するものとなっている。ゆえに、第一のスピーカユニットと第二のスピーカユニットとが同じ方向に放音し、効率良く音圧を得ることができると共に、設置面積が少ないハイブリッド型スピーカシステムとすることができる。
【００２６】
したがって、湾曲振動板を用いた複合型のスピーカシステムにおいて、再生周波数帯域の拡大により音質が改善されると共に、筐体が巨大化することなく、好ましい音圧感が確保されたスピーカを提供することができる。
【図面の簡単な説明】
【００２７】
【図１】本発明に係るスピーカを示す正面斜視図である。
【図２】本発明に係るスピーカの構造を説明する断面図である。
【図３】本発明に係る第一のスピーカユニットに用いる（Ａ）振動板の一例を示す平面図、（Ｂ）振動板の他の一例を示す平面図である。
【図４】本発明に係る第二のスピーカユニットを筐体に取り付ける際に用いる支持部材を示す斜視図である。
【発明を実施するための形態】
【００２８】
以下、本発明に係るスピーカシステムの実施の形態の一例について、図面を参照しながら説明する。
本発明は、筐体内に複数のスピーカユニットが収容されたスピーカシステムに関するものであるが、本実施の形態においては、本発明の理解を容易にするため、筐体内に二つのスピーカユニットが収容されたスピーカについて説明する。
【００２９】
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００３０】
本実施の形態に係るスピーカ１０は、図１及び図２に示すように、第一のスピーカユニット１と、第二のスピーカユニット２と、これら第一のスピーカユニット１と第二のスピーカユニット２とを収容する筐体５と、を少なくとも備えることにより構成されている。すなわち、筐体５は、一面が開放された中空構造であり、第一のスピーカユニット１と第二のスピーカユニット２とを収容する。
【００３１】
第一のスピーカユニット１は、一端側から対向する他端側へ向かって湾曲する曲面部を有する振動板（以下、「湾曲振動板」という。）１１と、湾曲振動板１１を駆動するドライバユニット１２とを少なくとも備える。
【００３２】
湾曲振動板１１は、湾曲する曲面部を形成することが可能な柔軟性を有するシート状部材であって、一端側１１ａの端面がドライバユニット３に当接して接続固定されるものとなる。この湾曲振動板１１は、たとえば、起立した平板状態で一端側１１ａの端面をドライバユニット３に当接して接続固定した後、他端側１１ｂを弾性的に曲げて変形させることで曲面部を形成し、変形した湾曲凸面側を外方に向けて他端側１１ｂを筐体５に接続するものである。すなわち、筐体５の開放された一面（開口部）を被覆するように、凸面側が外方を向いて配されるものとなる。
【００３３】
また、湾曲振動板１１は、予め湾曲する曲面部を有するように成形された部材であっても良く、この場合は一端側１１ａをドライバユニット３に接続した後、凸面側が外方を向き、凹面側が筐体５内を向くように他端側１１ｂを筐体５に接続する。
【００３４】
また、湾曲振動板１１は、湾曲方向に沿う両側縁部１１ｃ，１１ｄが、筐体５に支持されたものとなっている。すなわち、両側縁部１１ｃ，１１ｄは、湾曲振動板１１の周縁部において一端側１１ａと他端側１１ｂを除く残りの側縁部をいう。
図１及び図２において、湾曲振動板１１の両側縁部１１ｃ，１１ｄは、筐体５の側板部にガイド部７を設け、このガイド部７に支持されたものとして示されている。なお、ガイド部７は、筐体５の側板部に凸状部を形成したものでも良いし、筐体５の側板部に凹状部を形成したものでも良い。
【００３５】
また、ガイド部７には、振動板１１とガイド部７との接触による異音の発生等を防止するべく機能する振動緩衝部材７１を設けるものとすると望ましい。この振動緩衝部材７１としては、軟質でかつ振動を伝えにくい材料を適用することができ、たとえば、発泡ウレタン樹脂やゴム、不織布等のような弾力性に富む素材を挙げることができる。
【００３６】
このように振動板１１の両側縁部１１ｃ，１１ｄが筐体５に支持されることで、振動板１１が外力等の影響を受けることなく、エネルギーの伝達効率を低下させてしまうおそれを低減させることができると共に、筐体５に対して振動板１１を配することが容易にできるものとなる。
図１及び図２において、振動板１１の一端側１１ａ近傍と、長さ方向中央部付近の両側縁部１１ｃ，１１ｄが、振動緩衝部材７１を介してガイド部７に支持されたものとして示されている。
【００３７】
この湾曲振動板１１の材料は、カーボン紙などの紙、ポリイミドやポリエステルなどの可撓性を有するプラスチック、バルサ材などの木材、アルミやベリリウム、ボロンなどの金属を用いることができる。また、湾曲振動板１１の厚みは、予め湾曲する曲面部を有するように成形したり、弾性的に曲げて変形させたりすることができれば特に限定されるものではない。
【００３８】
また、湾曲振動板１１は、凸面側と凹面側とを貫通する開口部１１１を有する。
開口部１１１は、湾曲振動板１１に単数もしくは複数の穴が形成されるように表面が切欠された開口領域であって、たとえば、図３（Ａ）に示すように、大きな丸形の穴を一つ形成するものとしても良いが、図３（Ｂ）に示すように、複数の小さな開口部１１１・・１１１で模様を呈するように形成したものでも良い。
【００３９】
なお、湾曲振動板１１において開口部１１１を設ける位置や、開口部１１１の大きさは任意であるが、位置や大きさによっては、特定の周波数帯域が抜け落ちたものとなってしまうおそれがある。そのため、湾曲振動板１１に用いる材料を考慮しつつ、その兼ね合いで設計上注意を要する。たとえば、ドライバユニット３に接続される一端側１１ａから遠い位置に、径の小さい開口部１１１を設けることが望ましいように思われる。
【００４０】
このような開口部１１１を湾曲振動板１１に設けることで、第二のスピーカユニット２からの放音を妨げることなく、開口部１１１を介して放音可能とすると共に、湾曲振動板１１の共振による歪を制限し、過大な共振を押さえ適度な高調波による聞こえの改善を行うことができる。
【００４１】
ドライバユニット３は、入力（通電）された電気信号（音声信号）に応じて湾曲振動板１１を振動させるアクチュエータである。このドライバユニット３は、上述したように、湾曲振動板１１の面方向と同じ方向に駆動するように、湾曲振動板１１の一端側１１ａの端面と略直角に当接したものとなっている。
【００４２】
このようなドライバユニット３としては、たとえば、ムービングコイル方式もしくはムービングマグネット方式の電磁式アクチュエータを挙げることができる。これらのドライバユニット３は、コイルの占積率が高いゆえ、磁気効率が高いものとなっている。ゆえに、音量が高く鮮明な放音が期待できる。
【００４３】
ムービングコイル方式のアクチュエータは、磁気回路が構成する磁気ギャップ中にボイスコイルを挿入配置し、このボイスコイルに電気信号等を印加することで印加信号に伴った振動を起し、ボイスコイルと接続された振動板に振動を伝達して駆動するものとなっている。すなわち、ボイスコイルの一端は磁気回路（磁界）の中に収まっており、他端は振動板に接続されていることから、入力された電気信号がボイスコイルを動かし、その動きが振動板に伝わって音響エネルギー（音）に変換されるものとなる。
【００４４】
本実施の形態においてドライバユニット３は、ボイスコイルの一端が磁気回路の磁気ギャップ中に挿入され、電気信号を印加することでボイスコイルを駆動するムービングコイル方式のアクチュエータとすることができる。
ムービングコイル方式のアクチュエータでは、ボイスコイルは、円筒状をしたコイルボビンの外周端部に、所望径のコイル線材を所望のターン数にて巻き付けることにより構成される。
【００４５】
磁気回路は、ボイスコイルを駆動するのに対応した形状になっており、円柱状の永久磁石、この永久磁石を内部に収容する良好な磁性材たる鉄材からなる壺状をしたヨーク（以下、「壺ヨーク」という。）、この壺ヨークに蓋をするように永久磁石の上部に配される、同じく鉄材からなる円板のプレート、等で構成された内磁型磁気回路となっている。
永久磁石としては、ネオジムマグネット、アルニコマグネットやフェライトマグネットを用いることができるが、フェライトマグネットと比較して強い磁場を得ることが出来ることから、ネオジムマグネット、アルニコマグネット等を用いるのが望ましい。
【００４６】
磁気ギャップは、円筒状をしたネオジムマグネットの上面にプレートが配置装着されると共に、ネオジムマグネットの下面より壺ヨークの外周上端部を所定寸法径に切削加工を施したヨーク内径部より形成される。すなわち、プレートの外径は、壺ヨークの内径と芯合わせして装着されるため、壺ヨークの内径面とプレートの外径面との間に、所定幅寸法を有したリング状の隙間、即ちギャップが構成される。
【００４７】
また、磁気ギャップの奥行き方向の寸法は、プレートの厚さ、及び壺ヨークの内径厚さ寸法にて決定される。ゆえに、ネオジムマグネットが有する磁気が、壺ヨーク及びプレートによってギャップに導かれ、収束されるため、該ギャップに磁束が発生し、磁気ギャップが構成されることとなる。そして、この磁気ギャップの中心にボイスコイルが配置される。このドライバユニット３は、筐体５に固定して取り付けられたものとなっている。
【００４８】
なお、ドライバユニット３としては、上述したように内磁型磁気回路を有するアクチュエータに限らず、リング形状のフェライトマグネット等を用いた外磁型磁気回路を有するアクチュエータとしても一向に構わない。
【００４９】
湾曲振動板１１は、所定の手段によってドライバユニット１２の先端に接続固定することができる。たとえば、円盤状をした振動伝達材をボイスコイルの頂端部に取り付けると共に、Ｌ字形をした一対の金具を用いて湾曲振動板を挟み込み、この金具をネジ止め等によって振動伝達材に固定する手段が考えられる。なお、ドライバユニット１２に対する湾曲振動板１１の取り付けは、湾曲振動板１１の端面部がドライバユニット１２に当接していれば斜めであっても放音されるので問題は無い。しかしながら、音量の減少を防ぐために湾曲振動板１１の端面部がドライバユニット１２に対して略直角に当接することが望ましく、このときに最大音量になる。
【００５０】
本発明において第二のスピーカユニット２は、第一のスピーカユニット１と異なる周波数帯域を再生するものであれば良く、全帯域用のフルレンジとして用いられるスピーカユニットもしくは低域用のウーハとして用いられるスピーカユニットとすることが望ましい。本実施の形態では、全帯域用のフルレンジとして用いられるダイナミック型スピーカユニットを例に説明する。
【００５１】
第二のスピーカユニット２は、コーン状をした振動板（以下、「コーン状振動板」という。）２１と、コーン状振動板２１を駆動するドライバユニット２２とを少なくとも備える。
コーン状振動板２１は、すり鉢状をしたシート状部材であって、径小側がドライバユニット２２に接続されると共に、径大側が支持部材８に取り付けられるものとなる。すなわち、コーン状振動板２１は、径小側となる中心部に設けた所定寸法の穴（以下、「ネック部」と記す。）内にボイスコイルを挿入し、ネック部とコイルボビンの外周部の接触部分に接着剤を塗布することで、ドライバユニット２２に接続固定されるものとなる。
【００５２】
ドライバユニット２２は、入力（通電）された電気信号（音声信号）に応じてコーン状振動板２１を振動させるアクチュエータであり、第一のスピーカユニット１において用いられたドライバユニット３と同様に、たとえば、ムービングコイル方式もしくはムービングマグネット方式の電磁式アクチュエータを挙げることができる。ゆえに、ドライバユニット２２の説明は省略する。
【００５３】
この第二のスピーカユニット２は、上述したように、第一のスピーカユニット１の湾曲振動板１１が有する開口部１１１を介して放音可能となるように、第一のスピーカユニット１の湾曲振動板１１の凹面側に配され、筐体５に固定して取り付けられたものとなっている。すなわち、第二のスピーカユニット２は、放音側が第一のスピーカユニット１の湾曲振動板１１における開口部１１１を向くように、支持部材８を介して筐体５に取り付けられるものとなっている。
【００５４】
この支持部材８は、図４に示すように、第二のスピーカユニット２におけるドライバユニット２２側を挿入することが可能な支持開口８１と、その両側に設けられたアーム部８２，８２を有する。支持部材８は、アーム部８２を筐体５の両側面部間に架け渡すように配し、アーム部８２の端面に設けられた支持部材取付ネジ穴８３を介して筐体５に取り付けるものである。
また、この支持部材８には、スピーカユニット取付ネジ穴８４が設けられており、第二のスピーカユニット２におけるコーン状振動板２１の径大側に取り付けられている振動板取付プレート２１１がネジ止めされることにより接続されたものとなっている。
【００５５】
また、第二のスピーカユニット２は、第一のスピーカユニット１における湾曲振動板１１の凹面側と、第二のスピーカユニット２における放音側の外周部とが構成する隙間に、閉塞部材６が配されているものとすると望ましい。
すなわち、第一のスピーカユニット１における湾曲振動板１１の凹面側の音波と、第二のスピーカユニット２におけるコーン状振動板２１から発生られる音波とが干渉しないようにするためである。
【００５６】
この閉塞部材６は、第一のスピーカユニット１の湾曲振動板１１の凹面側における開口部１１１の周縁部に貼着するものとしても良いが、図示するように、第一のスピーカユニット１の湾曲振動板１１が有する開口部１１１を突き抜ける状態で配されたものとすると望ましい。
【００５７】
以上のように構成したスピーカ１０は、第一のスピーカユニット１のドライバユニット１２及び第二のスピーカユニット２のドライバユニット２２に対してそれぞれ同一の電気信号を入力すると、第一のスピーカユニット１と第二のスピーカユニット２とが同じ方向に放音し、効率良く音圧を得ることができると共に、設置面積が少ないハイブリッド型スピーカシステムとすることができる。
【００５８】
しかも、本発明のスピーカ１０では、湾曲振動板１１を備える第一のスピーカユニット１からの音と、コーン状振動板２１を備えるフルレンジ型の第二のスピーカユニット２からの音とを混在させることにより、第一のスピーカユニット１において再生周波数帯域の拡大が求められていた低域の音を第二のスピーカユニット２において補い、広帯域の音（難聴者及び健聴者向け音波）の再生を可能とすることができる。
【００５９】
なお、ドライバユニット１２，２２に入力される電気信号は、たとえば、テレビやラジオ、オーディオプレイヤー、パーソナルコンピュータ、スマートフォンやタブレットなどのスマートデバイス、等より出力した音声信号を挙げることができる。
また、図示しないが、筐体５の裏板部には、オーディオジャック、及びスイッチを装着するための穴が設けられている。
【００６０】
したがって、本発明のスピーカ１０は、従来の難聴者及び健聴者向けスピーカシステムに比して、高性能で、尚且つ、軽量で、設置面積が少なく、更にスピーカの万能性が向上し、難聴者と健聴者とが共に満足して聞くことのできるハイブリッド型スピーカシステムとすることができる。
【００６１】
また、本発明のスピーカ１０は、第一のスピーカユニット１の湾曲振動板１１における凹面側の空間に第二のスピーカユニット２を配したので、設置面積が少なくコンパクト化されたものとすることができる。
【００６２】
なお、図示しないが、本発明においては、第三のスピーカユニットをさらに備え、筐体５の開放された一面を除く他の一面を介して放音可能となるように、第三のスピーカユニットが筐体５に固定して取り付けられたものとしても良い。
すなわち、たとえば、筐体５の開放された一面を前板部とした場合、背板部や側板部に貫通する開口部を設け、この開口部から放音するように第三のスピーカユニットを取り付けるものとする。
【００６３】
この第三のスピーカユニットは、第二のスピーカユニットと同様に、たとえば、全帯域用のフルレンジとして用いられるスピーカユニットもしくは低域用のウーハとして用いられるスピーカユニットとすることができる。これにより、指向性のないスピーカとすることができる。
【符号の説明】
【００６４】
１  第一のスピーカユニット、２  第二のドライバユニット、５  筐体、６  閉塞部材、７  ガイド部、８  支持部材、１０  スピーカ（ハイブリッド型スピーカシステム）、１１  湾曲振動板、１１ａ  一端側、１１ｂ  他端側、１１ｃ，１１ｄ  側縁部、１２  ドライバユニット、２１  コーン状振動板、２２  ドライバユニット、７１  振動緩衝部材、８１  支持開口、８２  アーム部、１１１  開口部。
【図１】
2020014069.tif 000003
【図２】
2020014069.tif 000004
【図３】
2020014069.tif 000005
【図４】
2020014069.tif 000006
【手続補正書】
【提出日】平成30年10月19日(2018.10.19)
【手続補正１】
【補正対象書類名】特許請求の範囲
【補正対象項目名】請求項２
【補正方法】変更
【補正の内容】
【請求項２】
平板状をした振動板と、入力された電気信号に応じて前記振動板を振動させるドライバユニットと、前記振動板と前記ドライバユニットとを収容する中空構造の筐体と、を少なくとも備え、
前記筐体は、一面に開口部を有し、
前記ドライバユニットは、前記振動板の面方向と同じ方向に駆動するように前記振動板の一端側の端面部と当接し、かつ、前記筐体に固定して取り付けられ、
前記振動板は、前記ドライバユニットが取り付けられた一端側から対向する他端側へ向かうにしたがって湾曲する曲面部を形成し、前記筐体の開口部を被覆するように配されているスピーカにおいて、
前記振動板と前記ドライバユニットとから構成される第一のスピーカユニットと共に、前記筐体内に収容される第二のスピーカユニットをさらに備え、
前記第一のスピーカユニットは、凸面側が外方を向いて配された前記振動板において、凸面側と凹面側とを貫通する開口部を有し、
前記第二のスピーカユニットは、前記第一のスピーカユニットの振動板が有する前記開口部を介して放音可能となるように前記振動板の凹面側に配され、前記筐体に固定して取り付けられている、
ことを特徴とするスピーカ。
【手続補正２】
【補正対象書類名】特許請求の範囲
【補正対象項目名】請求項６
【補正方法】変更
【補正の内容】
【請求項６】
第三のスピーカユニットをさらに備え、
前記筐体の開放された一面を除く他の一面を介して放音可能となるように、当該筐体に固定して取り付けられていることを特徴とする請求項１乃至５の何れか１項に記載のスピーカ。
【手続補正３】
【補正対象書類名】明細書
【補正対象項目名】００１７
【補正方法】変更
【補正の内容】
【００１７】
また、本発明に係るスピーカは、平板状をした振動板と、入力された電気信号に応じて前記振動板を振動させるドライバユニットと、前記振動板と前記ドライバユニットとを収容する中空構造の筐体と、を少なくとも備え、前記筐体は、一面に開口部を有し、前記ドライバユニットは、前記振動板の面方向と同じ方向に駆動するように前記振動板の一端側の端面部と当接し、かつ、前記筐体に固定して取り付けられ、前記振動板は、前記ドライバユニットが取り付けられた一端側から対向する他端側へ向かうにしたがって湾曲する曲面部を形成し、前記筐体の開口部を被覆するように配されているスピーカにおいて、前記振動板と前記ドライバユニットとから構成される第一のスピーカユニットと共に、前記筐体内に収容される第二のスピーカユニットをさらに備え、前記第一のスピーカユニットは、凸面側が外方を向いて配された前記振動板において、凸面側と凹面側とを貫通する開口部を有し、前記第二のスピーカユニットは、前記第一のスピーカユニットの振動板が有する前記開口部を介して放音可能となるように、前記振動板の凹面側で前記筐体に固定され、前記筐体に取り付けられていることを基本的な特徴とするものと言い換えることができる。
【手続補正４】
【補正対象書類名】明細書
【補正対象項目名】００６４
【補正方法】変更
【補正の内容】
【００６４】
１  第一のスピーカユニット、２  第二のスピーカユニット、５  筐体、６  閉塞部材、７  ガイド部、８  支持部材、１０  スピーカ（ハイブリッド型スピーカシステム）、１１  湾曲振動板、１１ａ  一端側、１１ｂ  他端側、１１ｃ，１１ｄ  側縁部、１２  ドライバユニット、２１  コーン状振動板、２２  ドライバユニット、７１  振動緩衝部材、８１  支持開口、８２  アーム部、１１１  開口部。